(57)【要約】【課題】配電盤の扉ロック機構に簡易，安価な部品を組み合わせることで筐体の傷付き，錆の発生，受け金の磨耗による扉のガタつきを効果的に防止できるようにする【解決手段】配電盤の扉２に取り付けたハンドル３の軸部後端に掛け金としてレバー形の爪金４を連結し、ハンドル操作により爪板を配電盤の筐体１に設けた受け金５に係合して扉を閉位置に鎖錠する配電盤の扉ロック装置において、前記爪板４の先端部にナイロンなどの樹脂材で作られた鞘状の保護キャップ９を被せておき、扉を閉じた際にはハンドル操作により保護キャップを介して爪板を受け金に係止して扉を鎖錠するようにする。【選択図】        図１
2005188158.tif 000002
【特許請求の範囲】
【請求項１】
配電盤の扉に取り付けたハンドルの軸部後端に掛け金を連結し、ハンドル操作により前記掛け金を配電盤の筐体に設けた受け金に係合して扉を閉位置に鎖錠する配電盤の扉ロック装置において、
前記掛け金の先端部に樹脂で作られた鞘状の保護キャップを被せ、該保護キャップを介して掛け金を受け金に係止するようにしたことを特徴とする配電盤の扉ロック装置。
【請求項２】
請求項１記載の扉ロック装置において、掛け金がハンドルの軸部後端に直結したレバー形の爪板であり、該記爪板の先端部に保護キャップを被せたことを特徴とする配電盤の扉ロック装置。
【請求項３】
請求項２記載の扉ロック装置において、保護キャップの一部に抜け止め用の係合舌片を形成し、保護キャップを爪板に被せた状態で前記係合舌片を爪板に形成した係合凹所に掛止させたことを特徴とする配電盤の扉ロック装置。
【請求項４】
請求項１記載の扉ロック装置において、掛け金がハンドルの軸部後端にクランクアームを介して連結したロッドであり、該ロッドの先端部に保護キャップを被せたことを特徴とする配電盤の扉ロック装置。
【請求項５】
請求項４記載の扉ロック装置において、保護キャップをロッドの先端部に被せた状態で、キャップとロッド棒とを抜け止め用ピンで結合したことを特徴とする配電盤の扉ロック装置。
【発明の詳細な説明】
【技術分野】
【０００１】
本発明は、屋外設置の配電盤に好適な扉ロック装置に関する。
【背景技術】
【０００２】
周知のように盤内に各種の電気機器を収設した配電盤では、筐体の扉にハンドル操作で鎖錠，釈放する扉ロック装置を装備している。この扉ロック装置として、制御盤などの小形配電盤ではハンドルに簡単なラッチを組み合わせたラッチ式のロック機構を採用し、また大形の配電盤では扉板も大きくなるので、ハンドルにロッドを組み合わせて扉の上下二箇所を同時にロックするロッド式のロック機構（例えば、特許文献１参照）が使われている。なお、このロッド式ロック機構に前記のラッチ式ロック機構を組み合わせた扉ロック装置も知られている（例えば、特許文献２参照）。
【０００３】
また、屋外設置の配電盤には、耐候，耐塵，耐食性の確保および電気的な保護の面から金属製の閉鎖配電盤が採用されている。
【０００４】
次に、配電盤に装備した前記ラッチ式，ロッド式扉ロック装置の従来構造を図３，図４に示す。まず、図３（ａ）,（ｂ）はラッチ式の扉ロック装置であり、図において、１は配電盤の筐体、２は扉、３は回転操作式のハンドルであり、扉２を貫通して裏面側に引き出したハンドル軸３ａの後端に連結した掛け金としてのレバー形の爪板４と、該爪板４に対向して筐体１の開口縁部に設けたＬ字形の受け金６とでラッチ式の扉ロック装置を構成している。
かかるラッチ式扉ロック装置の動作は周知の通りであり、ハンドル３を矢印方向に回すと、ハンドル３に連動して爪板（掛け金）４が回動する。そして、扉２を閉じ位置でハンドル３をロック位置に回すと、爪板４の先端部が受け金の裏側に回り込んで係合し、扉２が開かないように鎖錠される。また、この位置からハンドル３を逆方向に戻すと、爪板４が受け金５から外れて扉２を自由に開くことができる。
また、図４（ａ）,（ｂ）は特許文献１に開示されているロッド式の扉ロック装置であり、扉２に設けたハンドル３の後端にクランクアーム３ｂを取り付けるとともに、該クランクアーム３ｂの両端に上下方向に延在してロッドガイド８で案内支持した一対のロッド７を設け、このロッド８の先端部を筐体１の上下二箇所に設けた受け金５に掛止するようにして扉ロック装置を構成している。
【特許文献１】特開平２−７７０４号公報
【特許文献２】特開２００３−１７８６７号公報
【発明の開示】
【発明が解決しようとする課題】
【０００５】
前記した配電盤の扉ロック装置では、扉２の開閉ごとにハンドル３を操作すると、扉ロック装置の掛け金である爪板４，あるいはロッド７と受け金５とが擦られたり、爪板４，ロッド７の先端が筐体１に直接衝突したりする。このために、長期使用の間に配電盤の筐体に施した塗装面の剥がれ，地金の傷付きが生じたり、受け金５が磨耗し、これが原因で筐体に錆が発生したり、扉を閉じた状態でガタつきが生じたりするほか、錆が盤内に飛散して電気機器，電子部品を付着して電気的な事故を引き起こすといった配電盤に特有な問題がある。そこで、図３，図４の従来構成では、特許文献１に開示されているように配電盤の筐体１側に設けた受け金５にステンレス鋼などで作られた当て板６を付設して塗装面の保護とガタ付き発生を防止するようにしている。
【０００６】
しかしながら、前記した従来の防護手段では、受け金５に当て板６を取り付けるための工数，手間が余分に掛かるほか、配電盤の据え付け先で扉を開閉する際に、ハンドルの操作ミスによって爪金４，ロッド７の先端が受け金５に係合する以前に筐体１に直接突き当たったりすると、筐体に塗装面の剥がれ，傷付きが生じる課題が残る。
【０００７】
本発明は上記の点に鑑みなされたものであり、その目的は前記課題を解決し、簡易，安価な部品を組み合わせることで筐体の傷付き，発錆，受け金の磨耗に起因する扉のガタつきを効果的に防止できるように改良した配電盤の扉ロック装置を提供することにある。
【課題を解決するための手段】
【０００８】
上記目的を達成するために、本発明によれば、配電盤の扉に取り付けたハンドルの軸部後端に掛け金を連結し、ハンドル操作により前記掛け金を配電盤の筐体に設けた受け金に係合して扉を閉位置に鎖錠する配電盤の扉ロック装置において、
前記掛け金の先端部に樹脂で作られた鞘状の保護キャップを被せ、該保護キャップを介して掛け金を受け金に係止するものとし（請求項１）、具体的には扉ロック機構の形態に合わせて次記のように構成する。
（１）前記の掛け金がハンドルの軸部後端に直結したレバー形の爪板であるラッチ式のロック機構に対しては、爪板の先端部に保護キャップを被せる（請求項２）。
（２）前項（１）において、保護キャップの一部に抜け止め用の係合舌片を形成し、保護キャップを爪板に被せた状態で前記係合舌片を爪板に形成した係合凹所に掛止させる（請求項３）。
（３）前記の掛け金がハンドルの軸部後端にクランクアームを介して連結したロッドであるロッド式のロック機構に対しては、ロッドの先端部に保護キャップを被せる（請求項４）。
（４）前項（３）において、保護キャップをロッドの先端部に被せた状態で、キャップとロッド棒とを抜け止め用ピンで結合する（請求項５）。
【発明の効果】
【０００９】
上記の構成によれば、掛け金に樹脂製の保護キャップを被せたので、扉開閉時のハンドル操作によって掛け金と受け金とが擦られても磨耗のおそれがなく、扉を閉じた状態でのガタつき発生を防止できる。また、扉開閉時におけるハンドルの操作角度によって掛け金が筐体に直接突き当たっても、掛け金に被せた保護キャップの緩衝機能により筐体の塗装面が剥がれたりすることがなく、地金の傷付き，錆発生も防止できて配電盤の信頼性が向上する。
【００１０】
しかも、樹脂製の保護キャップは材料費も安く、かつ掛け金への被着も極簡単に行えるので、受け金にステンレス鋼の当て板を付設した従来の構造と比べてコスト低減，工数削減化が図れる。
【発明を実施するための最良の形態】
【００１１】
以下、本発明の具体的な実施の形態を図１、および図２に示す実施例に基づいて説明する。なお、各実施例の図中で図３，図４に対応する部材には同じ符号を付して説明は省略する。
【実施例１】
【００１２】
図１（ａ）〜（ｃ）は図３のラッチ式扉ロック装置に適用した本発明の請求項２，３に対応する実施例を示すものである。この実施例においては、レバー形の爪板（掛け金）４の先端部に樹脂材（例えばナイロン）で作られた鞘状の保護キャップ９が被着されている。また、この保護キャップ９には、図１（ｂ）で示すような抜け止め用の係合舌片９ａを切欠き形成するとともに、この係合舌片９ａに対応して掛け金４の板面には、図１（ｃ）に示すような係合凹所４ａを形成しておき、保護キャップ９を爪板４の先端に矢印方向（図１（ｂ）参照）から被せた状態で、前記係合舌片９ａを爪板４の係合凹所４ａに係合させて保護キャップ９の脱落を防ぐようにしている。
【００１３】
かかる構成によれば、扉２の開閉時にハンドル３の操作により爪板４を回して扉ロックの鎖錠，釈放を行う際に、爪板４は保護キャップ９を介して受け金５と擦り合うことになるので、受け金５が磨耗して扉２を閉じた際にガタつきが生じるおそれはない。また、扉開閉時にハンドル３の操作角度によって爪板４の先端が不用意に筐体１に直接突き当たるようなことがあっても、保護キャップ９の緩衝機能で筐体１の塗装面が剥がれたり、地金に傷を付けて錆が生じたりするおそれはなく、これにより配電盤としての信頼性が向上する。しかも、樹脂製の保護キャップ９をコストも安く、かつ爪板４への組み付けもワンタッチで簡単に被着できる。
【実施例２】
【００１４】
図２（ａ）,（ｂ）は図４のロッド式扉ロック装置に適用した本発明の請求項４，５に対応する実施例を示すものである。この実施例においては、ハンドル３の軸部後端に設けたクランクアーム３ｂに一端を連結して上下方向に引き出したロッド（掛け金）７について、そのロッド先端部に樹脂材（例えば、ナイロン製）で作られた鞘状の保護キャップ９を被せている。また、保護キャップ９がロッド７から脱落するのを防ぐために、抜け止め用ピン１０でロッド７と保護キャップ９とを結合するようにしている。
【００１５】
この構成により、先記実施例１と同様に扉２の開閉，ハンドル３の繰り返し操作に伴う受け金４の磨耗，筐体１の塗装面剥がれ，傷付き，錆発生を防止する効果を奏することができる。
【図面の簡単な説明】
【００１６】
【図１】本発明の実施例１に対応するラッチ式扉ロック装置の構成図で、（ａ）は扉ロック状態を表す配電盤の横断平面図、（ｂ），（ｃ）はそれぞれ（ａ）における保護キャップ装着部の拡大背面図および上面図
【図２】本発明の実施例２に対応するロッド式扉ロック装置の構成図で、（ａ）は扉ロック状態を表す配電盤の縦断側面図、（ｂ）は（ａ）における保護キャップ装着部の拡大図
【図３】配電盤に装備したラッチ式扉ロック装置の従来構成図で、（ａ），（ｂ）はそれぞれ扉ロック状態を表す平面図および背面図
【図４】配電盤に装備したロッド式扉ロック装置の従来構成図で、（ａ）,（ｂ）はそれぞれ扉ロック状態を表す側面図および背面図
【符号の説明】
【００１７】
１    配電盤の筐体
２    扉
３    ハンドル
３ａ  ハンドル軸
３ｂ  クランクアーム
４    爪金（掛け金）
４ａ  係合凹所
５    受け金
７    ロッド（掛け金）
９    保護キャップ
９ａ  抜け止め用係合舌片
１０    抜け止め用ピン
【図１】
2005188158.tif 000003
【図２】
2005188158.tif 000004
【図３】
2005188158.tif 000005
【図４】
2005188158.tif 000006